(57)【要約】【課題】汎用の配管部材を使用して、コンクリート構造部における排水管の更新作業を容易且つ効率的に行うことができるようにする。【解決手段】横鞘管２が接続する接続口１４を側面１２に備え、コンクリート構造部７に貫通設置される排水管用鞘管１を、前記接続口１４を縦鞘管１の底部１３から上方に設けるとともに縦鞘管１の底部１３に突起部１５を設けて形成し、縦鞘管１内に収容されるエルボ継手４を突起部１５で支持し、エルボ継手４の下部と縦鞘管１の底部１３との間に切断工具を押し引き可能な間隔Ｄが確保されるように構成する。【選択図】図１
2012246709.tif 000002
【特許請求の範囲】
【請求項１】
排水縦管及びエルボ継手を収容可能な縦鞘管と、その側面に排水横引き管が収容される横鞘管の接続口を備え、前記横鞘管とともにコンクリート構造部に貫通設置される排水管用鞘管であって、
前記接続口が縦鞘管の底部から上方に設けられ、縦鞘管内に前記エルボ継手が収容された状態でエルボ継手の下端部と縦鞘管底部との間に所定の間隔が確保されるように設けられたことを特徴とする排水管用鞘管。
【請求項２】
縦鞘管内に収容されるエルボ継手又は横鞘管に収容されて接続口に挿通される排水横引き管を下方から支持する突起部が縦鞘管の底部に設けられてなる請求項１に記載の排水管用鞘管。
【請求項３】
縦鞘管の上端開口と底部の中心を通る軸線に対して接続口の中心を通る軸線が下方傾斜して交差するように接続口が設けられ、前記接続口に接続した横鞘管と当該横鞘管内に収容されて端部をエルボ継手に接続した排水横管とが所定の排水勾配で平行に設置されるように構成されていることを特徴とする請求項１又は２に記載の排水管用鞘管。
【請求項４】
縦鞘管下端部外面にコンクリート構造物に固定するためのガイド片が設けられてなる請求項１〜３の何れかに記載の排水管用鞘管。
【請求項５】
請求項１〜４の何れかに記載の排水管用鞘管と横鞘管からなる鞘管構成体。
【請求項６】
請求項１〜４の何れかに記載の排水管用鞘管と横鞘管をコンクリート構造物に貫通設置し、両鞘管内に収容される排水縦管、エルボ継手及び排水横引き管を接続して排水管を配管することを特徴とする排水管の配管構造。
【発明の詳細な説明】
【技術分野】
【０００１】
本発明は、建物の屋内排水管と屋外排水管とを接続するため建物のコンクリート構造部を貫通させて設置される排水管を、前記コンクリート構造部を壊すことなく更新するための技術に係り、前記貫通設置される排水管を収容し保護する鞘管の構造に関する。
【背景技術】
【０００２】
従来の建物の台所や風呂、トイレなどにおける排水管は、建物のコンクリート構造部に直接埋設して敷設され、排水管を更新するにはコンクリート構造部を壊さなければならなかった。
かかる実状を鑑みて、排水管の更新を容易に行えるようにするため、コンクリート構造部に排水管用の鞘管を設置し、排水管を更新する際には、コンクリート構造部を壊すことなく鞘管内の排水管のみを更新するようにした工法が提案されている（例えば特許文献１参照）。
また、コンクリート構造部に排水管用の鞘管を設置する際に、コンクリートの流し込みによって前記鞘管の固定位置のズレを防止する配管構造が提案されている（例えば特許文献２参照）。
【先行技術文献】
【特許文献】
【０００３】
【特許文献１】特開２００９−１０２９２９号公報
【特許文献２】特開２００９−１２７２２７号公報
【発明の概要】
【発明が解決しようとする課題】
【０００４】
従来技術における前者の工法は、排水管の更新の際に排水管を切断する必要があるが、排水管を切断するために鋸やカッターなどの切断工具を排水管の外周面に当てて押し引きするための十分なスペースが確保できず、排水管の切断作業が極めて困難であるという実用上の問題があった。
また、屋外の排水管に接続する排水横引き管は、排水管内で排水が滞留することを防止するため、１／５０や１／１００程度の所定の排水勾配を設ける必要があるが、前記工法では、排水横引き管が収容される横鞘管を水平に設置するとともに屋外からの水密性を確保のために排水横引き管と横鞘管の間にシール材を設けて、横鞘管内に収容された排水横引き管を保持するように設けてあるため、前記横鞘管内に排水横引き管を所定の排水勾配に精度良く設置することが難しいという施工上の問題があった。
【０００５】
従来技術における後者の配管構造は、排水管が収容される鞘管をその側部外周面に襞状の配管固定部を設けて形成し、この配管固定部を配筋に直に係合させ、或いは針金を介して配筋に係合させて鞘管を配筋に支持させるものであるが、鞘管の底部は固定されていないため、コンクリート打設時に流動するコンクリートに鞘管が押されて当初の固定位置から動いてしまいやすかった。鞘管が位置をずらして固定されると、これに収容される排水管の位置もずれて屋内外の排水管との接続が困難になったり、排水管の勾配が適正に確保できず排水が滞留したりする事態を生じかねず、コンクリート打設時に鞘管が動かないようにするための対策を講じる必要があった。
また、コンクリート構造部においては、排水管や鞘管を貫通設置する場合に配筋との距離（かぶり）は４０ｍｍ以上必要であることが定められているが、前記配管構造における排水管を収容する鞘管は必然的に排水管よりも大きな外径で形成されているため、コンクリート構造部に貫通設置した状態で配筋との距離が近くなることが多く、鞘管の固定が不十分であると前述の如くコンクリート打設時に鞘管が移動して前記距離よりも配筋に近づいて設置され、配筋を腐食させる原因となる可能性もある。
さらに、前記配管構造では、鞘管とともに、これに収容する排水縦管や排水横引き管、エルボ継手といった配管に用いる全ての部材を専用部材として成形しなければならず、部材費用が高価となって初期の施工コスト及び排水管を更新するときの施工コストが嵩むという実用上の問題があった。
【０００６】
本発明は従来技術の有するこのような問題点に鑑み、汎用の配管部材を使用して、コンクリート構造部における排水管の更新作業を容易且つ効率的に行うことができるようにすることを課題とする。
【課題を解決するための手段】
【０００７】
前記課題を解決するため本発明は、排水縦管及びエルボ継手を収容可能な縦鞘管と、その側面に排水横引き管が収容される横鞘管の接続口を備え、前記横鞘管とともにコンクリート構造部に貫通設置される排水管用鞘管であって、前記接続口が縦鞘管の底部から上方に設けられ、縦鞘管内に前記エルボ継手が収容された状態でエルボ継手の下端部と縦鞘管底部との間に所定の間隔が確保されるように設けられたことを特徴とする。
【０００８】
本発明の排水管用鞘管は、前記構成において、縦鞘管内に収容されるエルボ継手又は横鞘管に収容されて接続口に挿通される排水横引き管を下方から支持する突起部が縦鞘管の底部に設けられてなることを特徴とする。
また、前記構成において、縦鞘管の上端開口と底部の中心を通る軸線に対して接続口の中心を通る軸線が下方傾斜して交差するように接続口が設けられ、前記接続口に接続した横鞘管と当該横鞘管内に収容されて端部をエルボ継手に接続した排水横引き管とが所定の排水勾配で平行に設置されるように構成されていることを特徴とする。
さらに、前記構成において、縦鞘管下端部外面にコンクリート構造物に固定するためのガイド片が設けられてなることを特徴とする。
【０００９】
また、本発明の鞘管構成体は、前記構成の排水管用鞘管と、これに接続する横鞘管からなることを特徴とする。
さらに、本発明の排水管の配管構造は、前記構成の排水管用鞘管と横鞘管をコンクリート構造物に貫通設置し、両鞘管内に収容される排水縦管、エルボ継手及び排水横引き管を接続して排水管を配管することを特徴とする。
【発明の効果】
【００１０】
本発明の排水管用鞘管によれば、縦鞘管内に収容されるエルボ継手のエルボ継手の下部と縦鞘管の底部との間に所定の間隔が確保されるように設けてあるので、排水管を更新する際に上端開口から切断工具を差し入れ、エルボ継手又は排水横引き管の外周面に切断工具を当てた状態で、前記間隔部内で切断工具を上下に押し引きすることで、縦鞘管に収容された排水管を容易に切断することができる。
また、縦鞘管の底部に設けた突起部でエルボ継手や排水横引き管を下方から支持するとともに、横鞘管が接続する接続口を縦鞘管の側面から下方傾斜させて設けてあるので、前記接続口に横鞘管を接続し、この横鞘管内に収容した排水横引き管の端部をエルボ継手に接続しさえすれば、排水横引き管は所定の排水勾配に設置される。排水横引き管をエルボ継手に接続することにより排水横引き管が所定の排水勾配に設定されるので、排水横引き管に排水勾配を与えるための調整作業が不要となって施工工事の大幅な時間短縮が実現され、また、排水管内における排水溜まりの発生を抑制することができる。
また、本発明の排水管用鞘管は、コンクリート構造部に固定するためのガイド片を有しているので、このガイド片にアンカーボルトなどを打ち込んで前記鞘管をコンクリート構造部の取付け面に強固に固定することができ、コンクリート打設時に流動するコンクリートに押されても前記鞘管の固定位置が移動するようなことはなく、配筋との離間距離も適正に保持することができる。流動するコンクリートに押されても鞘管は移動せずに当初の取付け面に強固に固定することができるので、鞘管の設置工事のやり直しや修正工事は不要であり、鞘管に収容される排水管を介して屋内外の排水管を確実且つ水密に接続することが可能である。
さらに、本発明の鞘管構成体及び排水管の配管構造は、排水縦管及びエルボ継手を収容可能な前記構成の排水管用鞘管のみを専用の部材として成形し、他の構成部材は汎用の部材を用いることができるので、安価の施工コストにより設置して排水管の更新を行うことができる。
【図面の簡単な説明】
【００１１】
【図１】本発明の一実施形態の排水管の配管構造を示すコンクリート構造部の要部断面図である。
【図２】図１の要部平面図であって鞘管とこれに収容される排水管を鞘管の要部を破断して示した図である。
【図３】縦鞘管の正面図、平面図及び側面図である。
【図４】縦鞘管の縦断面を示した図である。
【図５】（Ａ）〜（Ｃ）は排水管の配管構造の施工工程を説明するための図である。
【図６】（Ａ）〜（Ｃ）は図５に続く排水管の配管構造の施工工程を説明するための図である。
【発明を実施するための形態】
【００１２】
本発明の好適な一実施形態を図面に基づいて説明する。
図１及び図２は本発明の一実施形態の排水管の配管構造を示しており、これは、予めコンクリート構造部７の基礎取付け面７ａ上に縦鞘管１と横鞘管２を取付けておき、コンクリートを打設してコンクリート構造部７を形成することにより、コンクリート構造部７内に前記縦鞘管１と横鞘管２を貫通設置し、この縦鞘管１と横鞘管２内に排水縦管３及びエルボ継手４と排水横引き管５をそれぞれ収容して互いに接続し、その後、前記排水縦管３と排水横引き管５の端部に図示されない屋内外の排水管をそれぞれ接続して排水管路を構成するものである。
図中、符号６は横鞘管２と排水横引き管５の端部に設置される防水パッキン、８はコンクリート構造部６内に格子状に配置される配筋である。
【００１３】
縦鞘管１は、図３及び図４に示されるように、塩化ビニル樹脂などの合成樹脂材を用いて、縦長な有底筒状に成形されている。
詳しくは、縦鞘管１は、排水縦管３とエルボ継手４を収容可能な大きさ、例えば上端開口１１が１５０ｍｍ程度四方の開口寸法、高さが４００ｍｍ程度の寸法に形成されており、その側面１２には底部１３から上方へ所定の間隔だけ開けた位置に、横鞘管２の端部が外嵌合する筒状の接続口１４を突設させてあり、縦鞘管１内にエルボ継手４が収容された状態で、エルボ継手４の下端部と縦鞘管１底部１３との間に所定の間隔Ｄが確保されるように設けてある（図１参照）。
前記エルボ継手４の下部と縦鞘管１の底部１３との間に確保される間隔Ｄは、排水管の更新のときにエルボ継手４と排水横引き管５の接続部位を分離するために、縦鞘管１内に切断工具を差し入れて前記接続部位に押し当てた状態で切断工具を上下に押し引きできるようにするための空間であり、この空間が高さ方向に少なくとも１０ｍｍ以上確保されていれば切断工具の押し引き作業が可能である。他方、この空間が大きすぎるとコンクリートの打ち込み深さが深くなって経済的にも好ましくないことから、実用上は４００ｍｍ以下とすることが好ましい。すなわち、前記エルボ継手４の下部と縦鞘管１の底部１３との間の間隔Ｄは、好ましくは１０ｍｍ以上４００ｍｍ以内の範囲、より好ましくは１５ｍｍ以上３００ｍｍ以内の範囲、さらに好ましくは２０ｍｍ以上２００ｍｍ以内の範囲とするのがよい。
【００１４】
接続口１４は、縦鞘管１の側面１２から適宜な幅で突出した筒状部分であり、横鞘管２の端部が外嵌合又は内嵌合して接合する形状に形成してある。なお、接続口の形状は、受口でも挿口でもよく、受口や挿口の長さは横鞘管２が所定の勾配に接続可能な長さであればよい。
この接続口１４は、図４に示されるように、縦鞘管１の上端開口１１と底部１３の中心を通る軸線Ａに対して接続口１４の中心を通る軸線Ｂとの交差部において、水平線Ｈと前記軸線Ｂとの交差角度αで、接続口１４が縦鞘管１の側面１２から下方傾斜して突出するように設けてあり、当該接続口１４に横鞘管２を接続することにより、横鞘管２の排水勾配が傾斜角度αに設定されるようになっている。
前記接続口１４を縦鞘管１の鉛直方向の軸線に対して下方傾斜させて設けることで、接続口１４に接続した横鞘管２に設定される排水勾配は、１／１００以上であることが好ましく、１／５０以上であればより好ましい。排水勾配の上限は特に法上の規定はないが、建築物の排水管の勾配においては１／１０以下であることが好ましい。なお、例えば戸建て排水の場合に管径が７５Ａ以下であれば排水勾配は１／５０であることが多いことから、前記横鞘管の排水勾配を１／５０としてもよい。
【００１５】
縦鞘管１の底部１３の内面には、前記接続口１４に隣接させて、エルボ継手４又は排水横引き管５の外周面下部を支持する突起部１５が適宜な高さで突設させてある。
この突起部１５の突出高さは、その上端にエルボ継手４又は排水横引き管５の外周下部を載せた状態で、排水横引き管５が所定の排水勾配に設置されるように設定されていることが好ましく、また、突起部１５の上端にエルボ継手４又は排水横引き管５が確実に保持されるように、突起部１５の上端を両部材の外周下部の曲面に沿った形状に設けることが好ましい。
【００１６】
また、縦鞘管１の下端部外周の左右側部と後部には、アンカーボルトなどの固着具９が係合する溝部１６ａを備えたガイド片１６が一体に突設させてある。
さらに、縦鞘管１の両側面には、縦鞘管１の周囲に針金を巻き付け、この針金を配筋８に結束して縦鞘管１を固定する場合に、針金を巻き付け易くしてその移動を抑制するための凸条１７を複数列設してある。
【００１７】
本形態の配管構造は、縦鞘管１のみが専用部材として成形されたものが用いられ、他の構成部材である横鞘管２、排水縦管３、エルボ継手４、排水横引き管５などは汎用品を用いて施工される。
以下、施工手順を図５及び図６を参照して説明する。
【００１８】
先ず、図５（Ａ）に示されるように、コンクリート構造部７の基礎取付け面７ａ上で、縦鞘管１を設置予定位置に借り置きし、横鞘管２の配管長を測定する。この際、縦鞘管１の上端開口１１上に水準器ＳＬを載せて、上端開口１１が水平となるように縦鞘管１が設置されていることを確認し、傾きがあるときは水平に調整する。横鞘管２の配管長が１ｍを超える場合は、排水勾配が確保できなく虞があるため、あて板などで縦鞘管１を嵩上げしておく。
次いで、同図（Ｂ）に示されるように、縦鞘管１をそのガイド片１６の溝部１６ａから基礎取付け面７ａに固着具９を打ち込んで固定する。必要に応じ、針金を縦鞘管１の周面に巻き付け、これを配筋８に結束して固定を強化する。縦鞘管１を固定したならば、接続口１４に横鞘管２の端部を接着して固定する。
そして、同図（Ｃ）に示されるように、縦鞘管１と横鞘管２の開口部を養生テープＴなどで塞いでおく。
【００１９】
縦鞘管１と横鞘管２を基礎取付け面７ａ上に固定したならば、コンクリートを打設してコンクリート構造部７を形成し、コンクリート打設後、図６（Ａ）に示されるように、縦鞘管１の上端の余剰部１１ａを切断工具で切除する。そして、横鞘管２の開口部から排水横引き管５を挿入し、縦鞘管１内に突出した排水横引き管５の端部周面に、縦鞘管１の端部開口１１側から操作して接着剤を塗布する。
次に、同図（Ｂ）に示されるように、排水縦管３の下端部にエルボ継手４の一端部を接着接合し、エルボ継手４の他端部内周面に接着剤を塗布した状態で、これを端部開口１１から縦鞘管１内に挿入し、底部１３から突設した突起部１５の上端にエルボ継手４の外周下部が当接する位置で、エルボ継手４と前記排水横引き管５とを接着接合する。
なお、エルボ継手４は、透明又は半透明のものを使用すれば、縦鞘管１内の狭い作業スペースであっても排水横引き管５との接続部位を目視確認可能であり、接着不足や挿入不足などによる漏水の発生を防止できて好ましい。
そして、同図（Ｃ）に示されるように、横鞘管２と排水横引き管５の端部間の隙間に防水パッキン６を押し入れて取付け、必要に応じてシーリング材などで仕上げを行うことで縦鞘管１と横鞘管２及び両鞘管に収容された配管部材の取付けが完了する。
【００２０】
このように構成された本形態の排水管の配管構造によれば、コンクリート構造部７の基礎取付け面７ａ上でガイド片１６に固着具９を打ち付けて縦鞘管１が固定されるので、コンクリート打設時に設置位置が移動してしまうようなことはなく、縦鞘管１と横鞘管２を当初の設置予定位置に確実に固定して設置することができる。
また、縦鞘管１内でエルボ継手４の下部と縦鞘管１の底部１３との間に間隔Ｄが確保されるように設けてあるので、排水管を更新する際に、縦鞘管１の上端開口１１から切断工具を差し入れ、エルボ継手４と排水横引き管５の接続部位を、切断工具の先端側を前記間隔Ｄ内に進入させて切断工具を上下に移動し押し引きすることで容易に切断することができ、配水管の更新を容易且つ効率的に実施することが可能である。
さらに、縦鞘管１の底部１３に設けた突起部１５により排水横引き管５のエルボ継手４との接続部位が所定の高さに支持され、また、接続口１４を縦鞘管１の側面１２から下方傾斜させて設けてあるので、接続口１４に横鞘管２を接続し、横鞘管２内に収容した排水横引き管５をエルボ継手４に接続しさえすれば、排水横引き管５が、横鞘管２と平行に、所定の排水勾配に設置されるので、排水勾配を与えるための調整作業が不要となり、また、排水管内における排水溜まりの発生を抑制することが可能である。なお、前記平行とは、横鞘管２と排水横引き管５がおおよそ平行である状態をいい、前述の施工手順等で施工がなされた後、排水横引き管５内に排水溜まりができない状態をいう。
【００２１】
なお、図示した排水管の配管構造及びこれを構成する構成部材の形態は一例であり、本発明はこれらの形態に限定されず、また、図示した施工手順以外の手順によっても施工が可能である。
図示した配管構造にあっては、専用品に成形された縦鞘管１と、汎用品である横鞘管２によって本発明の鞘管構成体が構成されるが、汎用品以外の横鞘管２、例えば配管の施工場所に応じて成形された横鞘管との組み合わせでも構わない。また、本発明の配管構造は、合成樹脂製の配管材の他に、鋼製の配管材を用いて構成してもよい。
【符号の説明】
【００２２】
１  縦鞘管、１１  端部開口、１２  側面、１３  底部、１４  接続口、１５  突起部、１６  ガイド片、１７  凸条、２  横鞘管、３  排水縦管、４  エルボ継手、５  排水横引き管、６  防水パッキン、７  コンクリート構造部、７ａ  基礎取付け面、８  配筋、９  固着具、ＳＬ  水準器、Ｔ  養生テープ
【図１】
2012246709.tif 000003
【図２】
2012246709.tif 000004
【図３】
2012246709.tif 000005
【図４】
2012246709.tif 000006
【図５】
2012246709.tif 000007
【図６】
2012246709.tif 000008